(57)【要約】【課題】部品点数が少なく、小型化された照明器具を提供する。【解決手段】照明器具１は、器具本体部１０と、器具本体部１０に収容された、光源部２０、及び、光源部２０に電力を供給する電源部３０とを備え、器具本体部１０は、光源部２０からの光の出射方向の反対側に設けられた開口１１３と、開口１１３の縁に沿って設けられた溝１１４とを有する本体１１と、開口１１３を閉じるように溝１１４にスライド挿入された取付板１２とを備える。【選択図】図９
2017054616.tif 000002
【特許請求の範囲】
【請求項１】
器具本体部と、
前記器具本体部に収容された、光源部、及び、前記光源部に電力を供給する電源部とを備え、
前記器具本体部は、
前記光源部からの光の出射方向の反対側に設けられた開口と、当該開口の縁に沿って設けられた溝とを有する本体と、
前記開口を閉じるように前記溝にスライド挿入された板体とを備える
照明器具。
【請求項２】
前記板体は、前記器具本体部を造営材に取り付けるための取付ネジが挿通可能なネジ孔を有する
請求項１に記載の照明器具。
【請求項３】
前記器具本体部は、前記板体のスライド方向に沿って長尺であり、
前記板体は、前記本体より外方に前記スライド方向に沿って突出した鍔部を有し、
前記ネジ孔は、前記鍔部に設けられている
請求項２に記載の照明器具。
【請求項４】
前記本体は、
底板と、
互いに略平行になるように、前記底板に立設された一対の立板とを有し、
前記開口は、前記一対の立板の立設方向の先端部の間であり、
前記溝は、前記一対の立板の各々の前記先端部に設けられている
請求項１〜３のいずれか１項に記載の照明器具。
【請求項５】
前記電源部は、前記一対の立板の間に配置されて前記底板の第１面に固定され、
前記光源部は、前記底板の第１面とは反対側の第２面に固定されている
請求項４に記載の照明器具。
【請求項６】
前記板体は、前記電源部に外部電源からの電力を供給するためのリード線を挿通するための挿通孔を有する
請求項４又は５に記載の照明器具。
【請求項７】
前記器具本体部は、さらに、
前記本体の両端に設けられる第１端部カバー及び第２端部カバーを備え、
前記第１端部カバー及び前記第２端部カバーは、前記板体の前記スライド方向への移動を規制する
請求項１〜６のいずれか１項に記載の照明器具。
【発明の詳細な説明】
【技術分野】
【０００１】
本発明は、電源部を内部に収容する照明器具に関する。
【背景技術】
【０００２】
従来、器具本体に電源装置が収納された照明器具が知られている（例えば、特許文献１）。特許文献１の照明器具では、電源装置は逆富士山状の反射板の内部空間に配置され、電源装置を覆うようにシャーシが反射板に固定されている。反射板とシャーシとは、ネジによって固定されている。
【先行技術文献】
【特許文献】
【０００３】
【特許文献１】特開２０１４−２０７２４９号公報
【発明の概要】
【発明が解決しようとする課題】
【０００４】
しかしながら、上記従来の照明器具では、シャーシを反射板に固定するネジなどが必要になり、部品点数が多くなるという問題がある。また、ネジで取り付けるためには、ネジの締め付けに耐えることができるだけの強度が必要となり、シャーシ及び反射板に、ある程度の板厚が必要となる。さらに、ネジ頭などの凸部が形成されるので、照明器具を小型化することができない。
【０００５】
そこで、本発明は、部品点数が少なく、小型化された照明器具を提供することを目的とする。
【課題を解決するための手段】
【０００６】
上記目的を達成するため、本発明の一態様に係る照明器具は、器具本体部と、前記器具本体部に収容された、光源部、及び、前記光源部に電力を供給する電源部とを備え、前記器具本体部は、前記光源部からの光の出射方向の反対側に設けられた開口と、当該開口の縁に沿って設けられた溝とを有する本体と、前記開口を閉じるように前記溝にスライド挿入された板体とを備える。
【発明の効果】
【０００７】
本発明によれば、部品点数が少なく、小型化された照明器具を提供することができる。
【図面の簡単な説明】
【０００８】
【図１】実施の形態に係る照明器具が造営材に取り付けられた様子を示す概観斜視図である。
【図２】実施の形態に係る照明器具の分解斜視図である。
【図３】実施の形態に係る本体の端部を示す概観斜視図である。
【図４】実施の形態に係る本体に支持された取付板の端部を示す概観斜視図である。
【図５】実施の形態に係る器具本体部の第１端部カバー側の端部を示す概観斜視図である。
【図６】実施の形態に係る器具本体部の第２端部カバー側の端部を示す概観斜視図である。
【図７】実施の形態に係る後付部材の概観斜視図である。
【図８】実施の形態に係る本体に取付板をスライド挿入する様子を示す概観斜視図である。
【図９】実施の形態に係る本体に取付板をスライド挿入している途中の様子を示す概観斜視図である。
【図１０】実施の形態に係る照明器具が後付部材を介して造営材に取り付けられた場合の取り付け部分の概観斜視図である。
【図１１】実施の形態に係る照明器具が後付部材を介さずに造営材に取り付けられた場合の取り付け部分の概観斜視図である。
【図１２】実施の形態に係る照明器具を狭い部分に取り付ける際の取り付けの可否を説明する模式図である。
【図１３】実施の形態に係る照明器具を、後付部材を用いて連結する様子を示す平面図である。
【図１４Ａ】実施の形態に係る照明器具を、後付部材を用いずに連結する様子を示す平面図である。
【図１４Ｂ】実施の形態に係る照明器具が、後付部材を用いずに連結された様子を示す平面図である。
【図１５】実施の形態の変形例に係る照明器具の端部の概観斜視図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略平行又は略直交などの表現を用いている。例えば、略平行は、完全に平行であることを意味するだけでなく、実質的に平行である、すなわち、例えば数％程度の誤差を含むことも意味する。他の「略」を用いた表現についても同様である。
【００１１】
（実施の形態）
［照明器具］
まず、本実施の形態に係る照明器具の概要について、図１を用いて説明する。図１は、本実施の形態に係る照明器具１が造営材２に取り付けられた様子を示す概観斜視図である。
【００１２】
照明器具１は、図１に示すように、取付ネジ３を用いて造営材２に取り付けられる。造営材２は、天井又は壁などの構造材であり、パネル、ボードなどの建材又は家具の一部などである。本実施の形態では、照明器具１は、家具と天井、床又は壁との隙間などの狭い場所に取り付けられる。取付ネジ３は、例えば、木ネジであるが、特に限定されない。
【００１３】
照明器具１は、長尺である。なお、本実施の形態では、照明器具１の長手方向をｙ軸方向とし、当該長手方向に直交する２つの方向をそれぞれｘ軸方向及びｚ軸方向とする。照明器具１は、ｚ軸方向の負側に光を出射する。以下では、説明を簡単にするため、ｚ軸方向の正側を「上」、「上側」又は「上方」と記載し、ｚ軸方向の負側を「下」、「下側」又は「下方」と記載する場合がある。図１は、照明器具１が下方を照らすように取り付けられた場合において、斜め下方から見たときの照明器具１の斜視図である。
【００１４】
図２は、本実施の形態に係る照明器具１の分解斜視図である。図２に示すように、照明器具１は、器具本体部１０と、光源部２０と、電源部３０と、端子部４０とを備える。本実施の形態では、照明器具１は、さらに、後付部材５０を備える。照明器具１は、さらに、複数のネジ６１〜６４を備える。
【００１５】
本実施の形態に係る照明器具１は、取付ネジ３が挿通可能な少なくとも２つのネジ孔（第１ネジ孔及び第２ネジ孔）を備える。第１ネジ孔及び第２ネジ孔は、その貫通方向が互いに異なっている。第１ネジ孔は、例えば、図２に示すネジ孔１２３であり、ｚ軸方向に貫通している。第２ネジ孔は、例えば、図２に示すネジ孔５０５及び５０６であり、ｘ軸方向に貫通している。
【００１６】
以下では、照明器具１が備える各構成要素について詳細に説明する。
【００１７】
［器具本体部］
器具本体部１０は、照明器具１の本体部であり、造営材２に取付可能である。具体的には、器具本体部１０は、内部に光源部２０及び電源部３０を収容する筐体である。器具本体部１０は、ｙ軸方向に長尺である。
【００１８】
器具本体部１０は、図２に示すように、本体１１と、取付板１２と、透光性カバー１３と、端部カバー１４及び１５とを備える。
【００１９】
［本体］
本体１１は、光源部２０及び電源部３０を保持する筐体である。具体的には、本体１１は、ｙｚ平面に平行な断面が略Ｕ字形状を有し、ｙ軸方向に長尺の筐体である。具体的には、本体１１は、長手方向の両端部が開放された角筒形状を有し、当該角筒の側面の１つ（具体的には上面）が開放されている。
【００２０】
図３は、本実施の形態に係る本体１１の端部を示す概観斜視図である。本体１１は、図２及び図３に示すように、一対の立板１１１と、底板１１２と、開口１１３と、一対の溝１１４とを有する。図３に示すように、本体１１は、さらに、一対の溝１１５と、ネジ穴１１６と、凸条１１７とを有する。
【００２１】
一対の立板１１１は、互いに略平行になるように、底板１１２に立設されている。底板１１２は、一対の立板１１１の下端部を連結している。底板１１２は、一対の立板１１１と略直交している。これにより、本体１１の断面形状が略Ｕ字形状になる。底板１１２は、載置面（第２面）１１２ａと、内底面（第１面）１１２ｂとを有する。
【００２２】
開口１１３は、光源部２０からの光の出射方向の反対側（ｚ軸方向の正側）に設けられている。つまり、開口１１３は、一対の立板１１１の立設方向（ｚ軸方向の正側）の先端部の間である。具体的には、開口１１３は、一対の立板１１１の一方の上端部と他方の上端部との間である。すなわち、開口１１３は、角筒形状の本体１１の開放された上面に相当する。
【００２３】
一対の溝１１４は、開口１１３の縁に沿って設けられた溝である。具体的には、一対の溝１１４は、一対の立板１１１の各々の先端部に設けられている。一対の溝１１４は、本体１１の長手方向（ｙ軸方向）に沿って延びる略Ｕ字溝である。
【００２４】
一対の溝１１４の長手方向における端部の少なくとも一方は開放されており、端部カバー１４が取り付けられた場合に閉じられる。本実施の形態では、一対の溝１１４の長手方向における両端が開放されている。一対の溝１１４は、長手方向において、本体１１の一方の端部から他方の端部まで連続して設けられている。一対の溝１１４は、互いに対向する位置に設けられて、各々に、取付板１２の短手方向（ｘ軸方向）の端部がスライド挿入される。
【００２５】
溝１１４は、図３に示すように、上側凸条１１４ａと下側凸条１１４ｂとによって形成されている。上側凸条１１４ａ及び下側凸条１１４ｂは、立板１１１の上端部から、もう一方の立板１１１の上端部に向かう方向に突出している。上側凸条１１４ａと下側凸条１１４ｂとの間の距離、すなわち、溝１１４の幅は、取付板１２の厚さと略同じである。
【００２６】
一対の溝１１５は、図３に示すように、底板１１２の載置面１１２ａ側に設けられている。一対の溝１１５は、本体１１の長手方向（ｙ軸方向）に沿って延びる溝であり、溝の開口部が溝の底部より狭くなっている。一対の溝１１５は、長手方向において、本体１１の一方の端部から他方の端部まで連続して設けられている。一対の溝１１５は、各々に透光性カバー１３の短手方向（ｘ軸方向）の端部がスライド挿入される。
【００２７】
ネジ穴１１６は、端部カバー１４又は端部カバー１５を固定するためのネジ６１が挿入される穴である。図３に示すように、底板１１２の端面に設けられている。本実施の形態では、２つのネジ穴１１６がそれぞれ、本体の両端に設けられている。
【００２８】
凸条１１７は、一対の溝１１４の一方のみの近傍に設けられている。凸条１１７は、上側凸条１１４ａ又は下側凸条１１４ｂと略同じ形状を有する。凸条１１７は、端部カバー１４及び端部カバー１５を本体１１に取り付ける際の向きを表す目印としても機能する。具体的には、凸条１１７は、端部カバー１４及び端部カバー１５の一方が取り付けられないように、当該一方に接触する。凸条１１７の位置及び形状などは、特に限定されず、また、凸条１１７は、設けられていなくてもよい。
【００２９】
本実施の形態では、本体１１は、金属材料又は樹脂材料から形成される。例えば、本体１１は、アルミニウムの押出加工などによって一体に形成される。
【００３０】
［取付板］
取付板１２は、本体１１の開口１１３を覆う板体である。取付板１２は、開口１１３を閉じるように溝１１４にスライド挿入されている。取付板１２は、ｙ軸方向に長尺な略矩形の板である。
【００３１】
取付板１２は、図２に示すように、板本体１２１と、鍔部１２２と、ネジ孔１２３と、挿通孔１２４と、段差部１２５とを有する。本実施の形態では、取付板１２は、鍔部１２２、ネジ孔１２３及び挿通孔１２４の各々を２つずつ備える。
【００３２】
具体的には、図２に示すように、２つの鍔部１２２は、取付板１２の長手方向の両端部に１つずつ設けられている。具体的には、２つの鍔部１２２は、板本体１２１の中心に対して点対称の位置に設けられている。２つの鍔部１２２の各々に、ネジ孔１２３が設けられている。すなわち、２つのネジ孔１２３も、板本体１２１の中心に対して点対称の位置に設けられている。
【００３３】
図４は、本実施の形態に係る本体１１に支持された取付板１２の端部を示す概観斜視図である。なお、図４では、本体１１と取付板１２との位置関係を分かりやすく示すために、本体１１及び取付板１２のみを示している。
【００３４】
図４に示すように、鍔部１２２は、器具本体部１０の長手方向の一方の端部に設けられている。鍔部１２２は、本体１１より外方に突出している。具体的には、鍔部１２２は、本体１１よりスライド方向（ｙ軸方向）に沿って突出している。
【００３５】
鍔部１２２は、板本体１２１に対して厚み方向に段差を有する。具体的には、鍔部１２２は、板本体１２１より上方に位置している。鍔部１２２は、ｚ軸方向において、本体１１の一対の立板１１１の上側端面（すなわち、上側凸条１１４ａの上面）と略同じ位置に位置する。鍔部１２２は、板本体１２１の幅（ｘ軸方向における長さ）の半分より僅かに短い幅を有する。
【００３６】
ネジ孔１２３は、器具本体部１０を造営材２に取り付けるための取付ネジ３が挿通可能な第１ネジ孔の一例である。つまり、ネジ孔１２３は、取付板１２に設けられた第１ネジ孔の一例である。図２及び図４に示すように、ネジ孔１２３は、鍔部１２２に設けられている。つまり、ネジ孔１２３は、器具本体部１０の長手方向の端部に設けられている。具体的には、ネジ孔１２３は、照明器具１の外部に露出している。ネジ孔１２３を用いた造営材２への取り付け例については、後で説明する。
【００３７】
挿通孔１２４は、板本体１２１を厚み方向に貫通する矩形状の貫通孔である。挿通孔１２４は、端子部４０が配置される位置の近傍に設けられる。挿通孔１２４は、電源部３０に外部電源からの電力を供給するためのリード線（図示せず）を挿通するための貫通孔である。挿通孔１２４には、枠部材４３が設けられている。
【００３８】
段差部１２５は、板本体１２１の一方の端部に設けられている。段差部１２５は、板本体１２１に対して厚み方向に段差を有する。具体的には、段差部１２５は、板本体１２１より下方に位置している。
【００３９】
段差部１２５は、複数の照明器具１が後付部材５０を利用せずに連結された場合に、隣の照明器具１のネジ孔１２３に挿入されたネジ（例えば、取付ネジ３）の頭を避けるための逃げ部として機能する。なお、段差部１２５は、板本体１２１の他方の端部にも設けられていてもよい。あるいは、取付板１２には、段差部１２５は設けられていなくてもよい。
【００４０】
図４に示すように、取付板１２は、溝１１４の上側凸条１１４ａと下側凸条１１４ｂとの間に挟まれて、上下方向（ｚ軸方向）への移動が規制される。また、取付板１２は、一対の立板１１１の間（一対の溝１１４の底部間）に挟まれて、短手方向（ｘ軸方向）への移動が規制される。取付板１２は、端部カバー１４と端部カバー１５との間に挟まれて、長手方向（ｙ軸方向）への移動が規制される。
【００４１】
取付板１２は、金属材料から形成される。例えば、取付板１２は、アルミニウムのプレス加工などによって一体に形成される。
【００４２】
なお、取付板１２は、本体１１に固定されていないので、例えば、光源部２０の発熱によって本体１１が熱膨張したとしても、応力が緩和される。このため、本体１１又は取付板１２の変形又は破損を抑制することができる。
【００４３】
［透光性カバー］
透光性カバー１３は、光源部２０を覆うように設けられている。透光性カバー１３は、溝１１５に挿入されて本体１１に支持される。透光性カバー１３は、例えば、下方に凸の滑らかな曲面を有する。
【００４４】
透光性カバー１３は、溝１１５に挟まれて、上下方向（ｚ軸方向）及び短手方向（ｘ軸方向）への移動が規制される。透光性カバー１３は、端部カバー１４と端部カバー１５との間に挟まれて、長手方向（ｙ軸方向）への移動が規制される。
【００４５】
透光性カバー１３は、例えば、アクリル（ＰＭＭＡ）若しくはポリカーボネート（ＰＣ）などの樹脂材料、又は、ガラス材料から形成される。透光性カバー１３には、光を拡散させる拡散機能を有してもよい。例えば、透光性カバー１３は、拡散材が分散された透光性樹脂材料を用いて形成されてもよく、あるいは、シボ加工などにより表面に凹凸が形成されていてもよい。
【００４６】
なお、透光性カバー１３は、本体１１に固定されていないので、例えば、光源部２０の発熱によって本体１１が熱膨張したとしても、応力が緩和される。このため、透光性カバー１３の変形又は破損を抑制することができる。
【００４７】
［第１端部カバー］
端部カバー１４は、本体１１の長手方向（ｙ軸方向）の端部の一方に設けられた第１端部カバーの一例である。端部カバー１４は、取付板１２のスライド方向への移動を規制する。図５は、本実施の形態に係る器具本体部１０の端部カバー１４（第１端部カバー）側の端部を示す概観斜視図である。図５では、端部カバー１４を本体１１に固定するためのネジ６１をさらに示している。
【００４８】
端部カバー１４は、本体１１、取付板１２及び透光性カバー１３の各々の長手方向（ｙ軸方向）の端部を覆う。端部カバー１４は、２つのネジ孔１４１を有する。２つのネジ孔１４１は、ｙ軸方向に見たときに、本体１１のネジ穴１１６と重複する位置に設けられている。端部カバー１４は、２つのネジ孔１４１の各々にネジ６１が挿入されることで、本体１１に固定される。
【００４９】
端部カバー１４は、図５に示すように、略中央部に、略矩形の蓋部１４２を備える。蓋部１４２は、４辺の各々で１点ずつ端部カバー１４の本体に連結されており、容易に切り取り可能である。例えば、複数の照明器具１を長手方向に連結する場合に、蓋部１４２は切り取られる。蓋部１４２が切り取られて形成された略矩形の孔を利用して、リード線（図示せず）を、一方の照明器具１から他方の照明器具１へと接続することができる。これにより、挿通孔１２４を介さずにリード線の接続が可能になる。
【００５０】
端部カバー１４の上端部には、第１凹部１４３及び第２凹部１４４が設けられている。
【００５１】
第１凹部１４３は、取付板１２の鍔部１２２を挿入するための凹部である。第１凹部１４３の深さ（ｚ軸方向の長さ）は、例えば、取付板１２の板本体１２１と鍔部１２２との段差以上である。つまり、第１凹部１４３の底部の上面は、ｚ軸方向において、板本体１２１の下面より低い位置に位置する。
【００５２】
第２凹部１４４は、複数の照明器具１を長手方向に連結する場合に、隣の照明器具１の鍔部１２２を挿入するための凹部である。また、第２凹部１４４は、底部が取付板１２の板本体１２１の端面に当接することで、取付板１２の長手方向（ｙ軸方向）への移動を規制する。具体的には、第２凹部１４４の深さ（ｚ軸方向の長さ）は、例えば、取付板１２の板本体１２１の上面とｚ軸方向において同じ位置になる深さである。すなわち、第２凹部１４４の底部の上面と板本体１２１の上面とは、略面一になる。第２凹部１４４の底部の上面は、第１凹部１４３の底部の上面より上方に位置している。
【００５３】
［第２端部カバー］
端部カバー１５は、本体１１の長手方向（ｙ軸方向）の端部の他方に設けられた第２端部カバーの一例である。端部カバー１５は、取付板１２のスライド方向への移動を規制する。図６は、本実施の形態に係る器具本体部１０の端部カバー１５（第２端部カバー）側の端部を示す概観斜視図である。図６では、端部カバー１５を本体１１に固定するためのネジ６１をさらに示している。
【００５４】
端部カバー１５は、本体１１、取付板１２及び透光性カバー１３の各々の長手方向（ｙ軸方向）の端部を覆う。端部カバー１５は、２つのネジ孔１５１を有する。２つのネジ孔１５１は、ｙ軸方向に見たときに、本体１１のネジ穴１１６と重複する位置に設けられている。端部カバー１５は、２つのネジ孔１５１の各々にネジ６１が挿入されることで、本体１１に固定される。
【００５５】
端部カバー１５は、図６に示すように、略中央部に、略矩形の蓋部１５２を備える。蓋部１５２は、蓋部１４２と同じである。
【００５６】
端部カバー１５の上端部には、第１凹部１５３及び第２凹部１５４が設けられている。
【００５７】
第１凹部１５３は、取付板１２の鍔部１２２を挿入するための凹部である。第１凹部１５３の深さ（ｚ軸方向の長さ）は、例えば、取付板１２の板本体１２１と鍔部１２２との段差以上である。つまり、第１凹部１５３の底部の上面は、ｚ軸方向において、板本体１２１の下面より低い位置に位置する。
【００５８】
第２凹部１５４は、複数の照明器具１を長手方向に連結する場合に、隣の照明器具１の鍔部１２２を挿入するための凹部である。第２凹部１５４は、隣の照明器具１の鍔部１２２にネジ６４が設けられている場合に備えて、ネジ６４のネジ頭が挿入可能な程度の深さを有する。具体的には、第２凹部１５４の深さ（ｚ軸方向の長さ）は、例えば、取付板１２の段差部１２５の上面とｚ軸方向において同じ位置になる深さである。すなわち、第２凹部１５４の底部の上面と段差部１２５の上面とは、略面一になる。第２凹部１５４の底部の上面は、第１凹部１５３の底部の上面より下方に位置している。第２凹部１５４は、底部が取付板１２の段差部１２５の端面に当接することで、取付板１２の長手方向（ｙ軸方向）への移動を規制する。
【００５９】
［光源部］
光源部２０は、器具本体部１０に収容されて、照明光を発する光源部である。具体的には、光源部２０は、本体１１の載置面１１２ａに載置されて、透光性カバー１３によって覆われている。光源部２０は、載置面１１２ａに固定されている。
【００６０】
なお、本実施の形態に係る照明器具１は、図２に示すように、２つの光源部２０を備える。照明器具１は、１つのみの光源部２０を備えてもよく、３つ以上の光源部２０を備えてもよい。
【００６１】
図２に示すように、光源部２０は、基板２１と、発光素子２２とを備える。光源部２０は、複数の発光素子２２を備える光源モジュールである。
【００６２】
基板２１は、ｙ軸方向に長尺な略矩形の回路基板である。基板２１は、例えば、発光素子２２を実装するための実装基板である。基板２１は、例えば、樹脂基板、メタルベース基板、セラミック基板又はガラス基板である。
【００６３】
基板２１は、本体１１の載置面１１２ａに載置されている。基板２１は、１以上のネジ６２によって本体１１に固定されている。本実施の形態では、図２に示すように、照明器具１は、６個のネジ６２を備える。１つの基板２１は、３個のネジ６２が基板２１を介してネジ穴１１２ｃに挿入されることによって本体１１に固定されている。
【００６４】
基板２１には、金属配線（図示せず）が設けられ、複数の発光素子２２を電気的に接続している。また、基板２１には、電源部３０からの電力を受けるためのコネクタ（図示せず）が設けられている。電源部３０からの電力は、コネクタ及び金属配線を介して複数の発光素子２２に供給されて、複数の発光素子２２が光を出射する。
【００６５】
発光素子２２は、例えば、ＬＥＤ（Ｌｉｇｈｔ  Ｅｍｉｔｔｉｎｇ  Ｄｉｏｄｅ）チップと蛍光体含有樹脂とがパッケージ化された、いわゆるＳＭＤ（Ｓｕｒｆａｃｅ  Ｍｏｕｎｔｅｄ  Ｄｅｖｉｃｅ）型の発光素子である。発光素子２２は、パッケージと、パッケージに配置されたＬＥＤチップと、ＬＥＤチップを封止する封止部材とを備える。発光素子２２は、例えば、白色光を発する白色ＬＥＤ素子である。
【００６６】
なお、光源部２０は、ＬＥＤチップが発光素子２２として基板２１に直接実装されたＣＯＢ（Ｃｈｉｐ  Ｏｎ  Ｂｏａｒｄ）型の光源モジュールでもよい。
【００６７】
［電源部］
電源部３０は、器具本体部１０に収容され、光源部２０に電力を供給する電源部である。具体的には、電源部３０は、本体１１の内部に配置されている。より具体的には、電源部３０は、一対の立板１１１の間に配置されて底板１１２の内底面１１２ｂに固定されている。内底面１１２ｂは、底板１１２の載置面１１２ａとは反対側の面である。
【００６８】
図２に示すように、電源部３０は、電源回路３１と、第１カバー３２と、第２カバー３３とを備える。第１カバー３２及び第２カバー３３は、組み合わされて、一の側面が開放された略直方体形状の回路ケースを構成する。電源回路３１は、当該回路ケースの内部に収容されている。
【００６９】
電源回路３１は、光源部２０に電力を供給して発光素子２２を点灯するための回路（点灯回路）である。電源回路３１は、外部電源から交流電力を受けて、直流電力に変換して光源部２０に供給する。具体的には、電源回路３１は、基板と、基板に実装された電子部品とを備える。基板は、例えば、樹脂基板などである。電子部品には、トランジスタ、コンデンサ、コイル、抵抗素子、整流素子などの回路部品が含まれる。
【００７０】
電源回路３１は、絶縁シート（図示せず）によって包まれており、第１カバー３２及び第２カバー３３から絶縁されている。電源回路３１は、リード線（図示せず）を介して端子部４０に接続されている。
【００７１】
第１カバー３２は、断面Ｌ字形状の金属製のプレートである。図２に示すように、第１カバー３２は、長手方向の両端部に、貫通孔３２２を有する鍔部３２１を有する。
【００７２】
第２カバー３３は、断面Ｌ字形状の金属製のプレートである。図２に示すように、第２カバー３３は、長手方向の両端部に、貫通孔３３２を有する鍔部３３１を有する。
【００７３】
第１カバー３２と第２カバー３３とが組み合わされた場合に、貫通孔３２２と貫通孔３３２とがｚ軸方向において重なり、かつ、鍔部３２１と鍔部３３１とが当接する。ネジ６３が、貫通孔３２２、貫通孔３３２、及び、本体１１の底板１１２の内底面１１２ｂに設けられたネジ穴１１２ｄに、この順で挿通されることで、電源部３０が固定されている。
【００７４】
第１カバー３２及び第２カバー３３は、例えば、アルミニウムの金属板をプレス加工することで形成される。なお、第１カバー３２及び第２カバー３３は、１つの回路ケースとして一体形成されていてもよい。
【００７５】
［端子部］
図２に示すように、端子部４０は、端子台４１と、保護部材４２とを備える。
【００７６】
端子台４１は、外部電源からの電力を受電し、受電した電力を電源部３０に供給する。具体的には、端子台４１には、外部電源（商用電源）に接続されたリード線（図示せず）と、電源部３０に接続されたリード線（図示せず）とが接続されている。
【００７７】
端子台４１は、例えば、本体１１の底板１１２の内底面１１２ｂに固定されている。端子台４１は、例えば、速結端子である。
【００７８】
保護部材４２は、端子台４１の上面に取り付けられて端子台４１を保護する。例えば、取付板１２の挿通孔１２４を介して塵埃などが端子台４１に付着するのを抑制する。
【００７９】
なお、本実施の形態では、照明器具１が１つのみの端子部４０を備える例について示したが、これに限らない。例えば、照明器具１は、２つの端子部４０を備えてもよい。この場合、例えば、２つの端子部４０の一方は、図２に示すように、端部カバー１４の近傍に配置され、２つの端子部４０の他方は、端部カバー１５の近傍に配置される。
【００８０】
これにより、２つの端子部４０のいずれを介しても電力を受けることができるので、配線及び取り付けの自由度を高めることができる。また、後で説明するように、複数の照明器具１を連結して使用する場合にも、複数の照明器具１を連結して直接配線することができる。
【００８１】
［後付部材］
後付部材５０は、器具本体部１０に着脱自在な後付部材である。本実施の形態に係る後付部材５０は、照明器具１の造営材２への取り付けに使用される。
【００８２】
図７は、本実施の形態に係る後付部材５０の概観斜視図である。図７に示すように、後付部材５０は、第１板部５０１と、第２板部５０２とを有する。後付部材５０は、ネジ孔５０３〜５０６を有する。
【００８３】
第１板部５０１は、略矩形の板である。第１板部５０１の大きさ及び形状は、特に限定されない。第１板部５０１には、ネジ孔５０３及び５０４が設けられている。ネジ孔５０３及び５０４は、取付ネジ３が挿通可能な第３ネジ孔の一例である。ネジ孔５０３及び５０４の径は、ネジ孔１２３の径と略同じである。
【００８４】
第２板部５０２は、略矩形の板である。第２板部５０２の大きさ及び形状は、特に限定されない。第２板部５０２には、ネジ孔５０５及び５０６が設けられている。ネジ孔５０５及び５０６は、取付ネジ３が挿通可能な第２ネジ孔の一例である。ネジ孔５０５及び５０６の径（長穴の幅）は、ネジ孔５０３の径と略同じである。
【００８５】
第１板部５０１と第２板部５０２とは、略直交している。すなわち、後付部材５０は、断面略Ｌ字形状を有する。これにより、ネジ孔５０３及び５０４の貫通方向（ｚ軸方向）と、ネジ孔５０５及び５０６の貫通方向（ｘ軸方向）とは互いに直交する。
【００８６】
なお、本実施の形態では、後付部材５０が２つの第２ネジ孔及び２つの第３ネジ孔を有する例について示しているが、これに限らない。後付部材５０は、１つのみの第２ネジ孔（例えば、ネジ孔５０５のみ）及び１つのみの第３ネジ孔（例えば、ネジ孔５０３のみ）を有してもよく、３つ以上の第２ネジ孔及び３つ以上の第３ネジ孔を有してもよい。
【００８７】
本実施の形態では、後付部材５０は、金属材料又は樹脂材料から形成される。例えば、後付部材５０は、アルミニウムの折り曲げ加工などによって形成される。
【００８８】
［スライド挿入］
ここで、本実施の形態に係る取付板１２の本体１１への取り付けについて図面を用いて説明する。
【００８９】
図８は、本実施の形態に係る照明器具１に係る本体１１に取付板１２をスライド挿入する様子を示す概観斜視図である。図９は、本実施の形態に係る照明器具１に係る本体１１に取付板１２をスライド挿入している途中の様子を示す概観斜視図である。
【００９０】
図８に示すように、取付板１２の端部を、本体１１の一方の端部から一対の溝１１４にスライド挿入する。そのまま、図９に示すように、一対の溝１１４に沿って取付板１２を、本体１１の長手方向（ｙ軸方向）に沿ってスライド挿入させる。取付板１２を本体１１の他方の端部までスライドさせることで、本体１１の開口１１３を取付板１２によって覆う。最後に、端部カバー１４及び端部カバー１５を本体１１の両端に取り付けることで、電源部３０などを器具本体部１０の内部に収容することができる。
【００９１】
なお、図８では、取付板１２の段差部１２５が設けられた側の端部を一対の溝１１４に挿入し、ｙ軸方向の正側に取付板１２をスライドさせているが、これに限らない。取付板１２の段差部１２５が設けられていない側の端部を一対の溝１１４に挿入し、ｙ軸方向の負側に取付板１２をスライドさせてもよい。
【００９２】
このように、取付板１２を本体１１にスライド挿入させることで、器具本体部１０を小型化することができる。例えば、本体１１に取付板１２を取り付ける方法としてはネジ止めなどが考えられるが、この場合、ネジの頭などの影響で器具本体部１０が大型化する。また、取付板１２には、ネジ止めに耐えることができる程度の強度が要求されて、一定以上の厚みが必要である。
【００９３】
これに対して、本実施の形態では、取付板１２は、スライド挿入されて下側凸条１１４ｂに載置されているので、厚みを薄くすることができる。これにより、照明器具１の器具本体部１０を小型化、及び、軽量化することができる。
【００９４】
また、本実施の形態では、取付板１２には光源部２０及び電源部３０が取り付けられていないので、取付板１２を容易にスライドすることができる。また、例えば、電源部３０と取付板１２との間の充分に空けておくことで、取付板１２のスライドの際に、不意の衝突などにより取付板１２又は電源部３０が破損するのを抑制することができる。
【００９５】
［造営材への取り付け］
本実施の形態では、照明器具１は、２つの異なる方向に貫通方向を有する２つのネジ孔を備える。したがって、照明器具１を２つの異なる方向に取り付けることができる。
【００９６】
以下では、まず、照明器具１を第１の方向に取り付ける場合について、図１０を用いて説明する。第１の方向は、例えば、照明器具１の側面方向（光軸に直交する方向）である。
【００９７】
図１０は、本実施の形態に係る照明器具１が後付部材５０を介して造営材２に取り付けられた場合の取り付け部分の概観斜視図である。図１０に示すように、器具本体部１０の鍔部１２２と後付部材５０とがネジ６４によって固定されている。さらに、後付部材５０が取付ネジ３によって造営材２に固定されている。これにより、照明器具１の側面方向（第１の方向（ｘ軸方向の負側））に位置する造営材２に照明器具１を取り付けることができる。
【００９８】
次に、照明器具１を第２の方向に取り付ける場合について、図１１を用いて説明する。第２の方向は、例えば、照明器具１の上方向（光出射方向とは反対側）である。
【００９９】
図１１は、本実施の形態に係る照明器具１が後付部材５０を介さずに造営材２に取り付けられた場合の取り付け部分の概観斜視図である。図１１に示すように、器具本体部１０の鍔部１２２が取付ネジ３によって造営材２に固定されている。これにより、照明器具１の上方向（第２の方向（ｚ軸方向の正側））に位置する造営材２に照明器具１を取り付けることができる。
【０１００】
このように、図１０と図１１とを比較して分かるように、本実施の形態に係る照明器具１は、後付部材５０を利用することで、照明器具１の取付方向を変更することができる。取付方向を変更することができるので、家具と天井、壁又は床との間などの狭い部分に照明器具１を取り付けることができる。
【０１０１】
また、後付部材５０は、器具本体部１０に着脱自在であるので、取付方向を変更する必要がない場合には、後付部材５０を取り外すことで、照明器具１を軽量化することができる。また、照明器具１の見栄えを向上させることができる。
【０１０２】
図１２は、本実施の形態に係る照明器具１を狭い部分に取り付ける際の取り付けの可否を説明する模式図である。
【０１０３】
図１２では、家具９１と壁９２と床９３との間の狭い空間９４に、下方を照らすように照明器具１を取り付ける場合を示している。つまり、ここでは、照明器具１が主に床９３を照らすように照明器具１を取り付ける。
【０１０４】
このとき、後付部材５０を利用しない場合、図１２の（ａ）に示すように、照明器具１の鍔部１２２に設けられたネジ孔１２３の貫通方向は上下方向になる。つまり、取付ネジ３の挿通方向が上下方向になる。このとき、狭い空間９４にはドライバー９０が上下方向に入らないので、取付ネジ３を締めることができない。
【０１０５】
これに対して、図１２の（ｂ）に示すように、後付部材５０を予め鍔部１２２に取り付けておくことで、照明器具１の取付ネジ３の挿通方向は水平方向になる。狭い空間９４にはドライバー９０は水平方向に入るので、取付ネジ３を締めることができ、照明器具１を適切に取り付けることができる。
【０１０６】
以上のように、本実施の形態に係る照明器具１は、取付方向が一方向に限定されておらず、取り付けの自由度を高めることができる。
【０１０７】
なお、空間９４に縦向きにドライバー９０を入れることができる場合には、照明器具１を家具９１の下面に取り付けることができる（図１２の（ａ）参照）。このとき、本実施の形態では、照明器具１の取付方向を変えることができるので、例えば、壁９２に向けて光を出射するように後付部材５０を介して照明器具１を家具９１の下面に取り付けることもできる。これにより、例えば、床面へのＬＥＤの粒の映り込みを抑制することができる。
【０１０８】
このように、照明器具１は、着脱可能な後付部材５０を備えるので、必要に応じて後付部材を器具本体部１０に取り付けることで、照明器具１を複数の方向に取り付けることができる。例えば、後付部材５０を用いなくても照明器具１を造営材２に取り付けることができる場合には、後付部材５０を取り外すことで、照明器具１を軽量化することができる。また、照明器具１の見栄えを向上させることができる。一方で、例えば図１２に示すように、ドライバー９０が入らないなどの取付方向を変更する必要がある場合、後付部材５０を器具本体部１０に取り付けることで、照明器具１を造営材２に取り付けることができる。
【０１０９】
［複数の照明器具の連結］
ここで、複数の照明器具１の連結について説明する。
【０１１０】
まず、後付部材５０を利用して複数の照明器具１を連結する場合について、図１３を用いて説明する。図１３は、実施の形態に係る照明器具１Ａ及び１Ｂを、後付部材５０を用いて連結した様子を示す平面図である。照明器具１Ａ及び照明器具１Ｂはそれぞれ、上述した照明器具１と同じである。
【０１１１】
図１３に示すように、照明器具１Ａの端部カバー１４Ａと照明器具１Ｂの端部カバー１５Ｂとが対向するように、照明器具１Ａと照明器具１Ｂとを、後付部材５０を介して連結する。具体的には、後付部材５０のネジ孔５０４と、照明器具１Ａの端部カバー１４Ａ側の鍔部１２２Ａのネジ孔１２３Ａとにネジ６４Ａが挿通される。同様に、後付部材５０のネジ孔５０３と、照明器具１Ｂの端部カバー１５Ｂ側の鍔部１２２Ｂのネジ孔１２３Ｂとに、ネジ６４Ｂが挿通される。
【０１１２】
これにより、１つの後付部材５０を２つの照明器具１Ａ及び１Ｂに取り付けることができる。取付ネジ３を後付部材５０のネジ孔５０５又は５０６に取り付けることで、２つの照明器具１Ａ及び１Ｂを、その側面方向（ｘ軸方向）に取り付けることができる。
【０１１３】
次に、後付部材５０を利用せずに複数の照明器具１を連結する場合について、図１４Ａ及び図１４Ｂを用いて説明する。図１４Ａは、実施の形態に係る照明器具１Ａ及び１Ｂを、後付部材５０を用いずに連結する様子を示す平面図である。図１４Ｂは、実施の形態に係る照明器具１Ａ及び１Ｂが、後付部材５０を用いずに連結された様子を示す平面図である。
【０１１４】
図１４Ａに示すように、照明器具１Ａは、取付ネジ３によって造営材２（図示せず）に固定されている。具体的には、２つの鍔部１２２Ａの各々に設けられたネジ孔１２３Ａに取付ネジ３が挿入されることで、照明器具１Ａは固定される。
【０１１５】
照明器具１Ｂの端部カバー１５Ｂ側の鍔部１２２Ｂを、照明器具１Ａの端部カバー１４Ａの第２凹部１４４Ａに挿通するように、照明器具１Ｂをスライドさせる（図１４Ａに示す白抜き矢印）。このとき、造営材２に固定された鍔部１２２Ａ及び取付ネジ３は、照明器具１Ｂの端部カバー１５Ｂの第２凹部１５４Ｂに挿通される。
【０１１６】
これにより、図１４Ｂに示すように、照明器具１Ａの端部カバー１４Ａと、照明器具１Ｂの端部カバー１５Ｂとを接触させることができる。その後、照明器具１Ｂの端部カバー１４Ｂ側の鍔部１２２Ｂに設けられたネジ孔１２３Ｂに取付ネジ３を挿通することによって、照明器具１Ｂを造営材２に固定することができる。
【０１１７】
以上のようにして、後付部材５０を用いずに複数の照明器具１を連結する場合には、隣り合う照明器具１同士を接触させることができる。したがって、光を出射しない部分（暗部）を小さくすることができるので、光ムラを少なくすることができる。
【０１１８】
［効果など］
以上のように、本実施の形態に係る照明器具１は、器具本体部１０と、器具本体部１０に収容された、光源部２０、及び、光源部２０に電力を供給する電源部３０とを備え、器具本体部１０は、光源部２０からの光の出射方向の反対側に設けられた開口１１３と、開口１１３の縁に沿って設けられた溝１１４とを有する本体１１と、開口１１３を閉じるように溝１１４にスライド挿入された取付板１２とを備える。
【０１１９】
このように、取付板１２は開口１１３を閉じるようにスライド挿入されているので、取付板１２を本体１１に固定するためのネジなどが必要ではない。このため、部品点数を削減することができる。これにより、照明器具１を軽量化することができる。
【０１２０】
また、取付板１２をネジ止めしなくてもよいので、取付板１２に強い強度が必要ではなくなるので、取付板１２の厚みを薄くすることができる。これにより、照明器具１を小型化することができる。また、開口１１３を閉じることで、内部に収容される電源部３０などを保護することができる。
【０１２１】
また、例えば、取付板１２は、器具本体部１０を造営材２に取り付けるための取付ネジ３が挿通可能なネジ孔１２３を有する。
【０１２２】
これにより、取付板１２は、例えば電源部３０を保護するための蓋としての機能を有するだけでなく、照明器具１の造営材２への取り付けにも利用することができる。このため、１つの部材である取付板１２によって２つの機能を実現することができるので、部品点数を削減することができる。
【０１２３】
また、例えば、器具本体部１０は、取付板１２のスライド方向に沿って長尺であり、取付板１２は、本体１１より外方にスライド方向に沿って突出した鍔部１２２を有し、ネジ孔１２３は、鍔部１２２に設けられている。
【０１２４】
このように、本体１１より外方に突出した鍔部１２２にネジ孔１２３が設けられているので、照明器具１を容易に造営材２に取り付けることができる。つまり、ネジ孔１２３は、照明器具１の外部に露出しているので、取り付けの際にネジ孔１２３を目視により確認することが容易になり、取付ネジ３の挿通及びネジ締めが容易になる。
【０１２５】
また、例えば、本体１１は、底板１１２と、互いに略平行になるように、底板１１２に立設された一対の立板１１１とを有し、開口１１３は、一対の立板１１１の立設方向の先端部の間であり、溝１１４は、一対の立板１１１の各々の先端部に設けられている。
【０１２６】
このように、溝１１４が一対の立板１１１の先端部に設けられているので、一対の立板１１１と底板１１２との間の空間を広くすることができる。したがって、電源部３０などの配置の自由度を高めることができる。
【０１２７】
また、例えば、電源部３０は、一対の立板１１１の間に配置されて底板１１２の内底面１１２ｂに固定され、光源部２０は、底板１１２の内底面１１２ｂとは反対側の載置面１１２ａに固定されている。
【０１２８】
これにより、取付板１２には光源部２０及び電源部３０が取り付けられていないので、取付板１２を容易にスライドすることができる。また、例えば、電源部３０と取付板１２との間の充分に空けておくことで、取付板１２のスライドの際に、取付板１２が電源部３０と接触しにくくすることができる。これにより、取付板１２のスライドの際に、不意の衝突などにより取付板１２又は電源部３０が破損するのを抑制することができる。
【０１２９】
また、例えば、取付板１２は、電源部３０に外部電源からの電力を供給するためのリード線を挿通するための挿通孔１２４を有する。
【０１３０】
これにより、取付板１２を本体１１から取り外すことなく、挿通孔１２４を介してリード線の接続を行うことができる。
【０１３１】
また、例えば、器具本体部１０は、さらに、本体１１の両端に設けられる端部カバー１４及び端部カバー１５を備え、端部カバー１４及び端部カバー１５は、取付板１２のスライド方向への移動を規制する。
【０１３２】
このように、端部カバー１４及び１５が取付板１２のスライド方向への移動を規制するので、取付板１２がスライドして脱離するのを抑制することができる。
【０１３３】
（変形例）
以下では、本実施の形態に係る照明器具の変形例について図面を用いて説明する。
【０１３４】
上記の実施の形態では、照明器具１が後付部材５０を備える例について示したが、これに限らない。具体的には、照明器具１を取り付けるためのネジ孔は、後付部材５０ではなく、器具本体部１０に設けられていてもよい。
【０１３５】
図１５は、本変形例に係る照明器具６００の端部の概観斜視図である。図１５に示すように、本変形例に係る照明器具６００は、第２ネジ孔（ネジ孔５０５及び５０６）が設けられた後付部材５０の代わりに、鍔部６２２を備える。以下、実施の形態と異なる点を中心に説明する。
【０１３６】
鍔部６２２は、器具本体部１０に固定されている。例えば、鍔部６２２は、本体１１又は取付板１２の一部である。鍔部６２２は、鍔部１２２とは異なる向きに設けられている。具体的には、鍔部６２２は、鍔部１２２と略直交するように設けられている。
【０１３７】
鍔部６２２には、第２ネジ孔の一例であるネジ孔６２３が設けられている。ネジ孔６２３の貫通方向は、鍔部１２２のネジ孔１２３の貫通方向と異なっている。具体的には、図１５に示すように、ネジ孔６２３の貫通方向はｘ軸方向であり、ネジ孔１２３の貫通方向はｚ軸方向である。
【０１３８】
これにより、実施の形態に係る照明器具１と同様に、ｘ軸方向又はｚ軸方向に照明器具６００を取り付けることができる。すなわち、本変形例に係る照明器具６００は、取付方向が一方向に限定されておらず、取り付けの自由度が高められている。
【０１３９】
（その他）
以上、本発明に係る照明器具について、上記実施の形態及びその変形例に基づいて説明したが、本発明は、上記の実施の形態に限定されるものではない。
【０１４０】
例えば、上記の実施の形態では、第１ネジ孔（ネジ孔１２３）の貫通方向と第２ネジ孔（ネジ孔５０５及び５０６）の貫通方向とが直交している例について示したが、これに限らない。第１ネジ孔の貫通方向と第２ネジ孔の貫通方向とは、異なっていればよい。例えば、後付部材５０の第１板部５０１と第２板部５０２とは、所定の傾斜角で斜めに接続されていてもよい。これにより、第１ネジ孔の貫通方向と第２ネジ孔の貫通方向とを斜めに交差させることができる。
【０１４１】
また、例えば、上記の実施の形態では、鍔部１２２及びネジ孔１２３（第１ネジ孔）を取付板１２の両端に設ける例について示したが、これに限らない。鍔部１２２及びネジ孔１２３は、取付板１２の一方の端部のみに設けられてもよい。また、鍔部１２２及びネジ孔１２３は、取付板１２ではなく、本体１１又は端部カバー１４若しくは１５などに設けられてもよい。
【０１４２】
また、例えば、上記の実施の形態では、第１ネジ孔（ネジ孔１２３）及び第２ネジ孔（ネジ孔５０５及び５０６）が器具本体部１０の端部から外方に突出した部分（鍔部１２２及び後付部材５０）に設けられている例について示したが、これに限らない。例えば、第１ネジ孔及び第２ネジ孔の少なくとも一方は、器具本体部１０の外部に露出していなくてもよい。器具本体部１０の一部に開閉自在な蓋が設けられており、当該蓋を開けたときにドライバーが挿入可能な位置に第１ネジ孔又は第２ネジ孔が設けられていてもよい。あるいは、開閉自在な蓋の代わりに、ドライバーが挿入可能な挿通孔が設けられていてもよい。
【０１４３】
また、例えば、上記の実施の形態では、第１ネジ孔（ネジ孔１２３）、第２ネジ孔（ネジ孔５０５及び５０６）、並びに、第３ネジ孔（ネジ孔５０３及び５０４）が貫通孔である例について示したが、これに限らない。これらのネジ孔は、側面の一部が切り欠かれた形状を有してもよい。例えば、ネジ孔１２３は、鍔部１２２の端面から内方に向かって切り欠かれた形状を有してもよい。
【０１４４】
また、例えば、上記の実施の形態では、後付部材５０を鍔部１２２にネジ６４により固定する例について示したが、これに限らない。後付部材５０は、鍔部１２２に係止してもよい。後付部材５０をスナップインなどにより鍔部１２２に係止させてもよい。
【０１４５】
また、例えば、上記の実施の形態では、器具本体部１０の長手方向の両端に端部カバー１４及び１５を着脱可能に設けたが、これに限らない。例えば、器具本体部１０の長手方向の端部の一方は、本体１１の一部で閉じられていてもよい。つまり、上記の実施の形態では、本体１１の両端のいずれからも取付板１２をスライド挿入することができるが、本体１１の端部の一方のみから取付板１２をスライド挿入することができてもよい。
【０１４６】
また、例えば、上記の実施の形態では、光源部２０がＬＥＤ素子を備える例について示したが、これに限らない。光源部２０は、有機ＥＬ（Ｅｌｅｃｔｒｏ−Ｌｕｍｉｎｅｓｃｅｎｃｅ）素子、又は、レーザ素子などの固体発光素子を備えてもよく、あるいは、蛍光灯などの放電型ランプを備えてもよい。
【０１４７】
また、例えば、上記の実施の形態では、照明器具１（器具本体部１０）が長尺である例について示したが、これに限らない。照明器具１は、シーリングライト、スタンド式ライト、ダウンライト、スポットライト又は電球型ランプなどでもよい。
【０１４８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４９】
１、１Ａ、１Ｂ、６００  照明器具
２  造営材
３  取付ネジ
１０  器具本体部
１１  本体
１２  取付板（板体）
１４、１４Ａ  端部カバー（第１端部カバー）
１５、１５Ｂ  端部カバー（第２端部カバー）
２０  光源部
３０  電源部
１１１  立板
１１２  底板
１１２ａ  載置面（第２面）
１１２ｂ  内底面（第１面）
１１３  開口
１１４  溝
１２２、１２２Ａ、１２２Ｂ、６２２  鍔部
１２３、１２３Ａ、１２３Ｂ  ネジ孔
１２４  挿通孔
【図１】
2017054616.tif 000003
【図２】
2017054616.tif 000004
【図３】
2017054616.tif 000005
【図４】
2017054616.tif 000006
【図５】
2017054616.tif 000007
【図６】
2017054616.tif 000008
【図７】
2017054616.tif 000009
【図８】
2017054616.tif 000010
【図９】
2017054616.tif 000011
【図１０】
2017054616.tif 000012
【図１１】
2017054616.tif 000013
【図１２】
2017054616.tif 000014
【図１３】
2017054616.tif 000015
【図１４Ａ】
2017054616.tif 000016
【図１４Ｂ】
2017054616.tif 000017
【図１５】
2017054616.tif 000018